(57)【特許請求の範囲】
【請求項１】
画像供給装置と、投写範囲が互いにオーバーラップするように配置された複数のプロジェクターとを備え、競技における所定の記録を表すための図形の画像を競技場の床面または地面に投写する画像投写システムであって、
前記画像供給装置は、
前記所定の記録を表す記録情報を記憶する記憶部と、
前記記録情報に基づく画像データを前記複数のプロジェクターに出力する画像データ出力部と、
前記図形の投写開始を示すスタート信号が入力されるスタート信号入力部と、
前記スタート信号入力部に前記スタート信号が入力されると、前記画像データ出力部に前記画像データの出力を開始させる制御部と、
を有し、
前記複数のプロジェクターは、
前記画像データの入力を受け付ける画像データ入力部と、
前記画像データ入力部に入力された前記画像データに基づいた前記図形の画像を、前記競技場の走路に投写する画像投写部と、
を有することを特徴とする画像投写システム。
【請求項２】
請求項１に記載の画像投写システムであって、
前記画像供給装置の前記記憶部に記憶された前記記録情報は、競技における前記所定の記録の途中経過および結果を表す前記図形の動画データであり、
前記画像データ出力部は、前記動画データを前記画像データとして前記複数のプロジェクターに出力することを特徴とする画像投写システム。
【請求項３】
請求項１に記載の画像投写システムであって、
前記画像供給装置の前記記憶部に記憶された前記記録情報は、競技における前記所定の記録の途中経過および結果を表す経過記録情報であり、
前記画像供給装置は、前記記憶部に記憶された前記経過記録情報に基づいて、競技における前記所定の記録の途中経過および結果を表す前記図形の動画データを生成する画像生成部をさらに有し、
前記画像データ出力部は、前記画像生成部が生成した前記動画データを前記画像データとして前記複数のプロジェクターに出力することを特徴とする画像投写システム。
【請求項４】
請求項１乃至３のいずれか一項に記載の画像投写システムであって、
前記図形の画像は、ラインの画像であることを特徴とする画像投写システム。
【請求項５】
請求項４に記載の画像投写システムであって、
前記ラインの画像は、前記走路に沿う方向に略直交するラインの画像であることを特徴とする画像投写システム。
【請求項６】
請求項５に記載の画像投写システムであって、
前記複数のプロジェクターは、前記走路のスタートラインからフィニッシュラインに至る範囲に前記ラインの画像を投写可能に設置されていることを特徴とする画像投写システム。
【請求項７】
画像供給装置と、投写範囲が互いにオーバーラップするように配置された複数のプロジェクターとを備え、前記画像供給装置は競技における所定の記録を表す記録情報を記憶する記憶部を有し、前記記録情報に基づく画像データに基づいて、前記所定の記録を表すための図形の画像を競技場の床面または地面に投写する画像投写システムの制御方法であって、
前記画像供給装置が、前記図形の投写開始を示すスタート信号の入力を受け付けるスタート信号入力ステップと、
前記スタート信号が入力された場合に、前記画像供給装置が、前記記録情報に基づく画像データを前記複数のプロジェクターに出力する画像データ出力ステップと、
前記複数のプロジェクターが、前記画像データの入力を受け付ける画像データ入力ステップと、
前記複数のプロジェクターが、前記画像データ入力ステップによって入力された前記画像データに基づいた前記図形の画像を、前記競技場の走路に投写する画像投写ステップと、
を有することを特徴とする画像投写システムの制御方法。
【発明の詳細な説明】
【技術分野】
【０００１】
本発明は、画像投写システム、および画像投写システムの制御方法に関する。
【背景技術】
【０００２】
近年、水泳などの競技をテレビで観戦していると、競技中の競技者と共に世界記録や日本記録等の記録ラインが画面上に表示される場合がある。このように記録ラインが画面上に表示されると、テレビで競技を観戦している視聴者は、競技者の競技状態と記録ラインとを対比して視認することができるため、新記録が達成されるか否かといったことを考慮しながら、興味深く競技を観戦して楽しむことができる。
【０００３】
特許文献１には、例えばゴルフやスキージャンプなど所望の位置に競技具を飛ばすまたは競技者が所定の位置に到達するような競技にあって、競技の画像と、競技具を飛ばす位置あるいは競技者が到達する所定の位置の近傍に、電子的画像処理によるラインや図形等のマーク画像を重ね合わせるスポーツ競技の画像処理方法が開示されている。
【先行技術文献】
【特許文献】
【０００４】
【特許文献１】特開２００５−１５９３８５号公報
【発明の概要】
【発明が解決しようとする課題】
【０００５】
しかしながら、テレビではなく競技場において観戦している観戦者は、記録ラインを目視することができないため、競技者の競技状態と記録ラインとを対比しながら観戦して楽しむことができなかった。そして、競技場で観戦している観戦者は、競技が終了して計測結果が出るまで、新記録が達成されているか否かを認識することができなかった。
【課題を解決するための手段】
【０００６】
本発明は、上述の課題の少なくとも一部を解決するためになされたものであり、以下の形態または適用例として実現することが可能である。
【０００７】
［適用例１］本適用例に係る画像投写システムは、画像供給装置とプロジェクターとを備え、競技における所定の記録を表すための図形の画像を競技場の床面または地面に投写する画像投写システムであって、前記画像供給装置は、前記所定の記録を表す記録情報を記憶する記憶部と、前記記録情報に基づく画像データを前記プロジェクターに出力する画像データ出力部と、を有し、前記プロジェクターは、前記画像データの入力を受け付ける画像データ入力部と、前記画像データ入力部に入力された前記画像データに基づいた前記図形の画像を投写する画像投写部と、を有することを特徴とする。
【０００８】
このような画像投写システムによれば、画像供給装置とプロジェクターとを備えて、競技における所定の記録を表すための図形の画像を競技場の床面または地面に投写する。画像供給装置は、記憶部と画像データ出力部とを有する。記憶部は、所定の記録を表す記録情報を記憶する。画像データ出力部は、記録情報に基づく画像データをプロジェクターに出力する。プロジェクターは、画像データ入力部と画像投写部とを有する。画像データ入力部は、画像データを入力し、画像投写部は画像データに基づいた図形の画像を投写する。つまり、画像供給装置は、競技における所定の記録を表す画像データをプロジェクターに出力し、プロジェクターは、画像データに基づいて図形を競技場の床面または地面に投写する。これにより、プロジェクターによって投写される図形を目視することによって、競技場において競技を観戦している観戦者は、所定の記録（例えば、世界記録等）を認識することができる。即ち、観戦者が、競技者の競技状態と所定の記録とを対比しながら観戦して楽しむことが可能になるため、有益である。さらに、観戦者は、競技が終了して計測結果が出るまで待つことなく、競技者と図形とを対比することによって、所定の記録が更新されているか否かを認識することが可能になる。
【０００９】
［適用例２］上記適用例に係る画像投写システムにおいて、前記画像供給装置は、前記図形の投写開始を示すスタート信号が入力されるスタート信号入力部と、前記スタート信号入力部に前記スタート信号が入力されると、前記画像データ出力部に前記画像データの出力を開始させる制御部と、をさらに有することを特徴とする。
【００１０】
このような画像投写システムによれば、画像供給装置は、スタート信号入力部と制御部とをさらに有する。競技の進行と連動して図形の投写開始を示すスタート信号が入力されると、制御部は、画像データ出力部に画像データの出力を開始させる。つまり、スタート信号が入力されると、画像供給装置は、画像データの出力を開始し、プロジェクターは、画像データに基づいて図形を競技場の床面または地面に投写する。これにより、競技場において競技を観戦している観戦者は、競技の進行と連動したスタート信号をトリガーとして競技者の競技状態と所定の記録を表す図形とを対比しながら観戦することが可能になるため、有益である。例えば、厳密なタイミングが要求される短距離走のような競技にも適用することができる。
【００１１】
［適用例３］上記適用例に係る画像投写システムにおいて、前記画像供給装置の前記記憶部に記憶された前記記録情報は、競技における前記所定の記録の途中経過および結果を表す前記図形の動画データであり、前記画像データ出力部は、前記動画データを前記画像データとして前記プロジェクターに出力することを特徴とする。
【００１２】
このような画像投写システムによれば、記録情報は、競技における所定の記録の途中経過および結果を表す動画データである。画像供給装置は、動画データである画像データを出力し、プロジェクターは、画像データに基づいて図形を競技場の床面または地面に投写する。これにより、競技場において競技を観戦している観戦者は、競技者の競技状態（競技途中の状態）と所定の記録の途中経過および結果を表す図形の動画とを対比しながら観戦することが可能になるため、有益である。さらに、観戦者は、競技が終了して計測結果が出るまで待つことなく、競技者と図形とを対比することによって、所定の記録が更新されたか否かを認識することが可能になる。
【００１３】
［適用例４］上記適用例に係る画像投写システムにおいて、前記画像供給装置の前記記憶部に記憶された前記記録情報は、競技における前記所定の記録の途中経過および結果を表す経過記録情報であり、前記画像供給装置は、前記記憶部に記憶された前記経過記録情報に基づいて、競技における前記所定の記録の途中経過および結果を表す前記図形の動画データを生成する画像生成部をさらに有し、前記画像データ出力部は、前記画像生成部が生成した前記動画データを前記画像データとして前記プロジェクターに出力することを特徴とする。
【００１４】
このような画像投写システムによれば、画像供給装置の記憶部には、所定の記録の情報である経過記録情報が記録情報として記憶される。画像生成部は、経過記録情報に基づいて図形の動画データを生成する。画像データ出力部は、画像生成部が生成した動画データをプロジェクターに出力する。プロジェクターは、入力された画像データに基づいた図形の画像を投写する。つまり、画像供給装置は、競技における所定の記録の記録情報から画像データを生成し、その画像データをプロジェクターに出力する。プロジェクターは、画像データに基づいて図形を競技場の床面または地面に投写する。これにより、プロジェクターによって投写される図形を目視することによって、競技場において競技を観戦している観戦者は、所定の記録（例えば、世界記録等）を認識することができる。即ち、観戦者が、競技者の競技状態と所定の記録とを対比しながら観戦することが可能になるため、有益である。さらに、観戦者は、競技が終了して計測結果が出るまで待つことなく、競技者と図形とを対比することによって、所定の記録が更新されているか否かを認識することが可能になる。
【００１５】
［適用例５］上記適用例に係る画像投写システムにおいて、前記図形の画像は、ラインの画像であることを特徴とする。
【００１６】
このような画像投写システムによれば、図形の画像はラインの画像である。つまり、画像供給装置は、所定の記録を表すためのライン画像データを出力し、プロジェクターは、ライン画像データに基づいてライン、即ち「線」を競技場の床面または地面に投写する。これにより、プロジェクターによって投写されるラインを目視することによって、競技場において競技を観戦している観戦者は、所定の記録を認識することができる。即ち、観戦者が、競技者の競技状態と所定の記録のラインとを対比しながら観戦することが可能になるため、有益である。さらに、観戦者は、競技が終了して計測結果が出るまで待つことなく、ラインと対比することによって、所定の記録が更新されているか否かを認識することが可能になる。
【００１７】
［適用例６］本適用例に係る画像投写システムの制御方法は、画像供給装置とプロジェクターとを備え、前記画像供給装置は競技における所定の記録を表す記録情報を記憶する記憶部を有し、前記記録情報に基づく画像データに基づいて、前記所定の記録を表すための図形の画像を競技場の床面または地面に投写する画像投写システムの制御方法であって、前記画像供給装置が、前記記録情報に基づく画像データを前記プロジェクターに出力する画像データ出力ステップと、前記プロジェクターが、前記画像データの入力を受け付ける画像データ入力ステップと、前記プロジェクターが、前記画像データ入力ステップによって入力された前記画像データに基づいた前記図形の画像を投写する画像投写ステップと、を有することを特徴とする。
【００１８】
このような画像投写システムの制御方法によれば、画像供給装置は、競技における所定の記録を表す記録情報に基づく画像データをプロジェクターに出力し、プロジェクターは、入力された画像データに基づいて図形を競技場の床面または地面に投写する。これにより、プロジェクターによって投写される図形を目視することによって、競技場において競技を観戦している観戦者は、所定の記録を認識することができる。即ち、観戦者が、競技者の競技状態と所定の記録とを対比しながら観戦して楽しむことが可能になるため、有益である。さらに、観戦者は、競技が終了して計測結果が出るまで待つことなく、競技者と図形とを対比することによって、所定の記録が更新されているか否かを認識することが可能になる。
【図面の簡単な説明】
【００１９】
【図１】第１の実施形態に係る画像投写システムによって世界記録のラインの画像が投写されている競技場の説明図。
【図２】画像供給装置、およびプロジェクターの概略構成を示すブロック図。
【図３】第２の実施形態に係る画像投写システムの概略構成を示すブロック図。
【図４】経過記録情報の説明図であり、（ａ）は、競技種目と世界記録時間を記憶するテーブル、（ｂ）は、競技の途中経過の情報を記憶するテーブル。
【図５】第３の実施形態に係る画像投写システムによって世界記録のラインの画像が投写されている走幅跳の競技場の説明図。
【図６】画像供給装置、およびプロジェクターの概略構成を示すブロック図。
【発明を実施するための形態】
【００２０】
以下、実施形態について説明する。
【００２１】
（第１の実施形態）
第１の実施形態では、１００メートル競走における所定の記録として世界記録を表すラインの画像を地面に投写する画像投写システムについて説明する。
【００２２】
図１は、第１の実施形態に係る画像投写システムによって世界記録のラインの画像が投写されている競技場の説明図である。図１に示すように、本実施形態の画像投写システム１は、画像供給装置１００、およびプロジェクター２００によって構成されている。さらに、画像投写システム１の外部には、スターターＳＴが保持するスタートピストルＳＰおよび計時システムＴＳが表されている。また、図１には、世界記録を表すライン（以降、「記録ラインＲＬ１」と呼ぶ）、スタートラインＬ１、走路ＣＳを表すためのセパレートレーンＳＬ、フィニッシュラインＬ２、走路ＣＳ上を走る競技者Ｈ１，Ｈ２，Ｈ３，Ｈ４が表されている。
【００２３】
本実施形態では、競技場は屋内の陸上競技場とし、セパレートレーンＳＬ、スタートラインＬ１、およびフィニッシュラインＬ２は地面に設置されている。競技者Ｈ１，Ｈ２，Ｈ３，Ｈ４は、スターターＳＴが保持するスタートピストルＳＰのピストル音を合図としてスタートラインＬ１からスタートし、フィニッシュラインＬ２に向かって走路ＣＳを走る。
【００２４】
スターターＳＴが保持するスタートピストルＳＰは、電気的なスタート信号を計時システムＴＳに送信する。計時システムＴＳは、スタート信号を受信すると、計時を開始する。また、計時システムＴＳは、スタート信号を画像供給装置１００に出力する。
【００２５】
画像供給装置１００は、スタート信号の入力を受け付けると、記録ラインＲＬ１の画像データをケーブルＣＢを介してプロジェクター２００に出力する。プロジェクター２００は、入力された記録ラインＲＬ１の画像データに基づいて、記録ラインＲＬ１の画像を走路ＣＳに投写する。なお、プロジェクター２００は、競技場の天井Ｃに地面方向に向けて設置されており、競技場のスタートラインＬ１からフィニッシュラインＬ２までの走路ＣＳ上に画像を投写することが可能になっている。
【００２６】
図１に示すように、記録ラインＲＬ１は、セパレートレーンＳＬに直交するラインである。記録ラインＲＬ１の画像データは、１００メートル競走の世界記録保持者のスタートからフィニッシュまでの走行記録（途中経過および結果）に基づいて作成された動画データとする。よって、記録ラインＲＬ１は、世界記録保持者のスタートからフィニッシュに至るまでの期間、走路ＣＳ上を移動しながら表示され続ける。
なお、複数のプロジェクター２００を天井Ｃに設置して、記録ラインＲＬ１を投写するようにしてもよい。例えば、隣接する投写範囲が互いにオーバーラップするように複数のプロジェクター２００を天井Ｃに設置することによって、記録ラインＲＬ１をより鮮明に表示することができる。
【００２７】
このように、画像投写システム１は、競技の世界記録の途中経過および結果を表す記録ラインＲＬ１を走路ＣＳに投写することができる。
【００２８】
次に、本実施形態に係る画像投写システム１が有する画像供給装置１００、およびプロジェクター２００について説明する。
図２は、本実施形態に係る画像供給装置１００、およびプロジェクター２００の概略構成を示すブロック図である。図２を使用して、画像供給装置１００、およびプロジェクター２００の内部構成について説明する。
【００２９】
画像投写システム１は、画像供給装置１００、およびプロジェクター２００を備えている。図２では、さらに、画像投写システム１にスタート信号を送信するためのスタートピストルＳＰ、および計時システムＴＳが表されている。
【００３０】
画像供給装置１００は、第１制御部１２０、入力受付部１２１、記憶部としての記録ライン画像記憶部１３０、画像データ出力部１３５等を備えている。なお、画像供給装置１００は、このような構成を備えたパーソナルコンピューター等としてもよい。
【００３１】
第１制御部１２０は、ＣＰＵ（Central Processing Unit）、各種データの一時記憶等に用いられるＲＡＭ（Random Access Memory）、および、マスクＲＯＭ（Read Only Memory）やフラッシュメモリー、ＦｅＲＡＭ（Ferroelectric RAM：強誘電体メモリー）等の不揮発性のメモリー等（いずれも図示せず）を備え、コンピューターとして機能するものである。第１制御部１２０は、ＣＰＵが不揮発性のメモリーに記憶されている制御プログラムに従って動作することにより、画像供給装置１００の動作を統括制御する。
【００３２】
第１制御部１２０には、入力受付部１２１から各種の入力操作や、競技の進行と連動して記録ラインＲＬ１の投写開始を示すスタート信号情報が入力される。第１制御部１２０は、スタート信号情報が入力されると、画像データ出力部１３５に記録ラインＲＬ１の画像データを出力するように指示を行う。
【００３３】
入力受付部１２１は、操作入力部１２１ａとスタート信号入力部としての信号入力部１２１ｂとを有して構成されている。操作入力部１２１ａは、画像供給装置１００に対する各種の入力操作を受け付けるための複数のキー等を備えている。操作入力部１２１ａが備えるキーとしては、電源のオン／オフを行うための「電源キー」や、記録ラインＲＬ１の画像データの出力を開始させるための「画像出力キー」等がある。
【００３４】
ユーザーが操作入力部１２１ａを操作すると、操作入力部１２１ａは、ユーザーの操作内容に応じた操作信号を第１制御部１２０に出力する。なお、操作入力部１２１ａは、リモコン信号受信部（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信部がこれを受信して第１制御部１２０に伝達する。
【００３５】
信号入力部１２１ｂは、スタートピストルＳＰが送信し、計時システムＴＳが受信したスタート信号を入力するための信号入力端子を備える。信号入力端子としては、例えばＲＳ−２３２Ｃ等のシリアル通信規格の信号入力端子とする。このような信号入力端子にスタート信号が入力されると、信号入力部１２１ｂはスタート信号情報を第１制御部１２０に出力する。
【００３６】
記録ライン画像記憶部１３０は、不揮発性のメモリーを有して構成され、競技における所定の記録（本実施形態では、１００メートル競走の世界記録）の途中経過および結果を表す記録ラインＲＬ１の画像データ（動画データ）を記憶している。記録ライン画像記憶部１３０は、記録ラインＲＬ１の画像データを、画像データ出力部１３５に出力する。
記録ラインＲＬ１は、特定の色（例えば黄色）とし、全てのセパレートレーンＳＬに略直交する１本の「直線」の画像とする。本実施形態では、投写される「直線」以外の部分は、黒色の無地画像を表す画像とする。記録ラインＲＬ１の画像データは、プロジェクター２００によって走路ＣＳに投写されると、競技場のスタートラインＬ１からフィニッシュラインＬ２に向かって、世界記録の途中経過および結果に対応して移動する黄色のラインとなる。
【００３７】
画像データ出力部１３５は、第１制御部１２０の指示に基づいて、記録ライン画像記憶部１３０から記録ラインＲＬ１の画像データを入力する。そして、ケーブルＣＢを介してプロジェクター２００に画像データを出力する。なお、ケーブルＣＢは、例えば、アナログＲＧＢケーブルや、ビデオケーブル等、画像供給装置１００とプロジェクター２００とを接続し、画像データを送信可能なケーブルであれば、限定するものではない。
【００３８】
このような構成により、画像供給装置１００の第１制御部１２０は、信号入力部１２１ｂからスタート信号情報を入力すると、画像データ出力部１３５に指示を出して、記録ラインＲＬ１の画像データをプロジェクター２００に出力させる。
【００３９】
プロジェクター２００は、画像投写部２１０、第２制御部２２０、操作受付部２２１、光源制御部２２２、画像データ入力部２３０、画像処理部２３１等を備えている。
【００４０】
画像投写部２１０は、超高圧水銀ランプやメタルハライドランプ等の放電型光源や、ＬＥＤ（Light Emitting Diode）等の固体光源からなる光源２１１と、光変調装置としての液晶ライトバルブ２１２と、投写レンズ２１３と、液晶ライトバルブ２１２を駆動するライトバルブ駆動部２１４とを備えている。
【００４１】
液晶ライトバルブ２１２は、一対の透明基板間に液晶が封入された透過型液晶パネル等によって構成される。ライトバルブ駆動部２１４の駆動によって、液晶ライトバルブ２１２の各画素に画像信号に応じた駆動電圧が印加されると、各画素は、画像信号に応じた光透過率で光源光を透過させる。
【００４２】
光源２１１から射出された光は、この液晶ライトバルブ２１２を透過することによって変調され、変調後の光が投写レンズ２１３によって投写されることにより、走路ＣＳ（地面）に画像データに応じた画像が表示される。
【００４３】
第２制御部２２０は、ＣＰＵ、各種データの一時記憶等に用いられるＲＡＭ、および、マスクＲＯＭやフラッシュメモリー、ＦｅＲＡＭ等の不揮発性のメモリー等（いずれも図示せず）を備え、コンピューターとして機能するものである。第２制御部２２０は、ＣＰＵが不揮発性のメモリーに記憶されている制御プログラムに従って動作することにより、プロジェクター２００の動作を統括制御する。
【００４４】
操作受付部２２１は、プロジェクター２００に対する各種の入力操作を受け付けるための複数のキー等を備えている。操作受付部２２１が備えるキーとしては、電源のオン／オフを行うための「電源キー」や、入力ソースを切り換えるための「入力切換キー」、各種設定を行うためのメニュー画面の表示／非表示を切り換える「メニューキー」、メニュー画面におけるカーソルの移動に用いられる「カーソルキー」、各種設定を決定するための「決定キー」等がある。
【００４５】
ユーザーが操作受付部２２１を操作すると、操作受付部２２１は、ユーザーの操作内容に応じた操作信号を第２制御部２２０に出力する。なお、操作受付部２２１は、リモコン信号受信部（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信部がこれを受信して第２制御部２２０に伝達する。
【００４６】
光源制御部２２２は、第２制御部２２０の指示に基づいて、光源２１１に対する電力の供給と停止とを制御し、光源２１１の点灯および消灯を切り換える。
【００４７】
画像データ入力部２３０には、画像供給装置１００やパーソナルコンピューター、ビデオ再生装置、メモリーカード、ＵＳＢ（Universal Serial Bus）ストレージ、デジタルカメラ等、外部の画像を供給する装置とケーブルＣＢを介した接続を行うための各種の画像入力端子が備えられており、画像を供給する装置から画像データが入力される。画像データ入力部２３０は、入力される画像データを、画像処理部２３１で処理可能な形式の画像データ情報に変換して、画像処理部２３１に出力する。
【００４８】
画像処理部２３１は、第２制御部２２０の指示に基づいて、画像データ入力部２３０から入力される画像データ情報に対して、明るさ、コントラスト、シャープネス、色合い等の調整や、ガンマ補正等の各種画質調整を施す。さらに、画像処理部２３１では、必要に応じてＯＳＤ（オンスクリーンディスプレイ）画像を画像データ情報に重畳する処理を行う。画像処理部２３１は、このような調整および処理を行った画像データ情報をライトバルブ駆動部２１４に出力する。
【００４９】
ライトバルブ駆動部２１４は、入力される画像データ情報に従って液晶ライトバルブ２１２を駆動する。この結果、画像データに基づいた画像が画像投写部２１０から走路ＣＳに投写される。
【００５０】
このような構成により、プロジェクター２００の第２制御部２２０は、光源制御部２２２および画像処理部２３１に指示を出し、入力される画像データに基づいた記録ラインＲＬ１の画像を画像投写部２１０から投写させる。
【００５１】
上述した画像投写システム１では、画像供給装置１００は、計時システムＴＳからスタート信号を入力すると、世界記録の記録ラインＲＬ１の画像データをプロジェクター２００に出力開始する。そして、プロジェクター２００は、入力した画像データに基づく世界記録の記録ラインＲＬ１を走路ＣＳに投写することができる。
【００５２】
上述した第１の実施形態によれば、以下の効果が得られる。
（１）画像投写システム１において、スタートピストルＳＰから計時システムＴＳを介してスタート信号が入力されると、画像供給装置１００は、１００メートル競走における世界記録を表す動画データである記録ラインＲＬ１の画像データをプロジェクター２００に出力し、プロジェクター２００は、画像データに基づいて記録ラインＲＬ１を走路ＣＳに投写する。これにより、走路ＣＳに投写される記録ラインＲＬ１を目視することによって、競技場において競技を観戦している観戦者は、世界記録を認識することができる。そして、観戦者は、競技者Ｈ１，Ｈ２，Ｈ３，Ｈ４の競技状態（競技途中の状態）と世界記録の途中経過および結果を表す記録ラインＲＬ１の動画とを対比しながら観戦することが可能になるため、有益である。さらに、観戦者は、競技が終了して計測結果が出るまで待つことなく、競技者Ｈ１，Ｈ２，Ｈ３，Ｈ４と記録ラインＲＬ１とを対比することによって、世界記録が更新されたか否かを認識することが可能になるため、有益である。
【００５３】
（２）画像投写システム１が走路ＣＳに投写する世界記録は、記録ラインＲＬ１、即ち「直線」として表される。これにより、観戦者が、競技者Ｈ１，Ｈ２，Ｈ３，Ｈ４の競技状態（走行位置）と記録ラインＲＬ１との対比を容易に行うことができる。即ち、各競技者が世界記録を上回っているか否かを容易に視認することが可能になり、有益である。
【００５４】
（３）画像投写システム１が記録ラインＲＬ１を走路ＣＳに投写することにより、競技者Ｈ１，Ｈ２，Ｈ３，Ｈ４は、世界記録と自身の競技状態を比較することが可能になる。このため、競技者Ｈ１，Ｈ２，Ｈ３，Ｈ４は、記録ラインＲＬ１を視認して目標としながら競技を行うことができるため、有益である。また、競技の練習を行う際にも、このような記録ラインＲＬ１を走路ＣＳに投写することによって、練習の目標を視認することが可能になるため、有益である。その場合は、世界記録のように予め計測された記録に替えて、選手に与えられた目標記録に基づくラインの画像を投写してもよい。
【００５５】
（第２の実施形態）
以下、第２の実施形態について説明する。
【００５６】
第２の実施形態に係る画像投写システム２では、画像供給装置１００Ｂが記録ラインＲＬ１の画像データを生成してプロジェクター２００に出力し、プロジェクター２００が入力した画像データに基づいて記録ラインＲＬ１の画像を走路ＣＳに投写する。
【００５７】
図３は、第２の実施形態に係る画像投写システム２の概略構成を示すブロック図である。図３を使用して、画像投写システム２の内部構成について説明する。
以降、第１の実施形態との差異について説明する。
【００５８】
本実施形態に係る画像投写システム２の画像供給装置１００Ｂは、図２で示した第１の実施形態に係る画像投写システム１の画像供給装置１００が備えている記録ライン画像記憶部１３０を備えないものとする。また、画像供給装置１００Ｂは、記憶部としての記録情報記憶部１３１、画像生成部としてのライン画像生成部１３２、および記録情報入力部１３６を備えるものとする。また、第１制御部１２０Ｂが行う制御が、第１の実施形態に係る画像供給装置１００の第１制御部１２０と異なる。その他の画像供給装置１００Ｂの構成は、第１の実施形態に係る画像供給装置１００と同様である。また、同様な構成部は同様な符号としている。また、プロジェクター２００の構成は、第１の実施形態と同様とし、各構成部の符号も同様の符号としている。
【００５９】
記録情報記憶部１３１は、不揮発性のメモリーを有して構成され、競技における所定の記録（本実施形態では、１００メートル競走の世界記録）の途中経過および結果を表す記録情報である経過記録情報を記憶する。記録情報記憶部１３１は、経過記録情報として、競技種目の情報や結果の記録時間（世界記録の時間）、競技の途中経過の情報等を記憶する。このような経過記録情報は、記録情報入力部１３６によって記録情報記憶部１３１に書き込まれる。そして、第１制御部１２０Ｂの指示に基づいて、記録情報記憶部１３１は、経過記録情報をライン画像生成部１３２に出力する。
【００６０】
図４は、経過記録情報の説明図であり、同図（ａ）は、競技種目と世界記録時間を記憶するテーブルであり、同図（ｂ）は、競技の途中経過の情報を記憶するテーブルである。
図４（ａ）に示すように、テーブルＴ１には、競技種目Ｓとして１００メートル競走が記憶されており、さらに、世界記録時間ＴＲとして９．５８秒という情報が記憶されている。また、図４（ｂ）に示すように、テーブルＴ２には、競技の途中経過の情報として時間Ｔと走行距離Ｄとの対応が記憶されている。本実施形態では、テーブルＴ２には、０．１秒毎の走行距離Ｄが記憶されている。なお、テーブルＴ２における時間の間隔は、０．１秒毎に限定するものではない。
【００６１】
図３に戻り、ライン画像生成部１３２は、第１制御部１２０Ｂの指示に基づいて、記録情報記憶部１３１から入力された経過記録情報に基づき、記録ラインＲＬ１の画像データを生成して画像データ出力部１３５に出力する。具体的には、ライン画像生成部１３２は、図４で示したテーブルＴ１，Ｔ２に基づいて、記録ラインＲＬ１の画像を生成する。ライン画像生成部１３２は、テーブルＴ２の各情報（データ）の間についての補間処理を行うことで連続的なデータに変換する。そして、その連続的なデータに基づき、連続的に移動する記録ラインＲＬ１の動画データを生成する。記録ラインＲＬ１は、特定の色（例えば黄色）とし、走路ＣＳを表す全てのセパレートレーンＳＬに略直交する１本のライン（直線）の画像とする。記録ラインＲＬ１の画像データは、画像データ出力部１３５からプロジェクター２００に出力され、プロジェクター２００によって走路ＣＳに投写されると、競技場のスタートラインＬ１からフィニッシュラインＬ２に向かって、世界記録に対応して移動する黄色のラインとして表示される。
【００６２】
記録情報入力部１３６は、計時システムＴＳから経過記録情報を入力するための情報入力端子を備える。情報入力端子としては、例えばＲＳ−２３２Ｃ等のシリアル通信規格の入力端子とする。このような入力端子に経過記録情報が入力されると、記録情報入力部１３６は、記録情報記憶部１３１に経過記録情報を記憶させ、さらに、第１制御部１２０Ｂに通知を行う。なお、本実施形態では、計時システムＴＳは、経過記録情報を計測して出力することを可能とする。
【００６３】
このような構成により、画像供給装置１００Ｂの第１制御部１２０Ｂは、記録情報入力部１３６から通知を受け取ると、記録情報記憶部１３１に指示を出して、経過記録情報をライン画像生成部１３２に出力させる。そして、第１制御部１２０Ｂは、ライン画像生成部１３２に指示を出して、記録ラインＲＬ１の画像データを生成させる。また、第１制御部１２０Ｂは、信号入力部１２１ｂからスタート信号情報を入力すると、画像データ出力部１３５に指示を出して、記録ラインＲＬ１の画像データをプロジェクター２００に出力させる。
【００６４】
上述した画像投写システム２では、画像供給装置１００Ｂは、計時システムＴＳから世界記録の経過記録情報を入力すると、世界記録の記録ラインＲＬ１の画像データを生成する。そして、計時システムＴＳからスタート信号を受信すると、画像供給装置１００Ｂは、記録ラインＲＬ１の画像データをプロジェクター２００に出力開始する。プロジェクター２００は、入力した画像データに基づく記録ラインＲＬ１を走路ＣＳに投写することができる。
【００６５】
上述した第２の実施形態によれば、第１の実施形態の効果（２）および（３）と同様の効果を奏することができる。他に以下の効果が得られる。
（１）画像投写システム２の画像供給装置１００Ｂは、１００メートル競走における世界記録の経過記録情報から記録ラインＲＬ１の動画データである画像データを生成する。スタートピストルＳＰから計時システムＴＳを介してスタート信号が入力されると、画像供給装置１００Ｂは、生成された記録ラインＲＬ１の画像データの出力を開始し、プロジェクター２００は、画像データに基づいて記録ラインＲＬ１を走路ＣＳに投写する。これにより、競技場において競技を観戦している観戦者は、世界記録を認識することができる。即ち、観戦者が、競技者Ｈ１，Ｈ２，Ｈ３，Ｈ４の競技状態（競技途中の状態）と世界記録の途中経過および結果を表す記録ラインＲＬ１とを対比しながら観戦して楽しむことが可能になるため、有益である。さらに、観戦者は、競技が終了して計測結果が出るまで待つことなく、競技者と記録ラインＲＬ１とを対比することによって、世界記録が更新されたか否かを認識することが可能になるため、有益である。
【００６６】
（２）画像投写システム２において、世界記録が更新された場合、画像供給装置１００Ｂは、計時システムＴＳから更新された経過記録情報を入力して記憶し、ライン画像生成部１３２によって新たな記録ラインＲＬ１の画像データを生成することができる。そして、プロジェクター２００は、新たな画像データに基づいて記録ラインＲＬ１を走路ＣＳに投写する。これにより、例えば準決勝で世界記録が更新された場合においても、決勝では新たな記録ラインＲＬ１を投写することができるため、有益である。
【００６７】
（第３の実施形態）
以下、第３の実施形態について説明する。
【００６８】
第３の実施形態では、走幅跳（走り幅跳び）における所定の記録として世界記録を表すラインの画像を地面に投写する画像投写システムについて説明する。
【００６９】
図５は、第３の実施形態に係る画像投写システム３によって世界記録のラインの画像が投写されている走幅跳の競技場の説明図である。図５に示すように、本実施形態の画像投写システム３は、画像供給装置１００Ｃ、およびプロジェクター２００によって構成されている。また、図５には、世界記録を表すライン（以降、「記録ラインＲＬ２」と呼ぶ）、助走路ＡＬを表すための助走レーンＪＬ、踏切線ＴＯ、砂場ＳＤ、跳躍している競技者Ｈ５が表されている。
【００７０】
本実施形態では、競技場は屋内の陸上競技場とし、助走レーンＪＬ、および踏切線ＴＯは地面に設置されている。競技者Ｈ５は、助走路ＡＬを走り、踏切線ＴＯから跳躍する。
【００７１】
画像供給装置１００Ｃは、所定の操作がなされると、記録ラインＲＬ２の画像データをケーブルＣＢを介してプロジェクター２００に出力する。プロジェクター２００は、入力された記録ラインＲＬ２の画像データに基づいて、記録ラインＲＬ２の画像を砂場ＳＤに投写する。なお、プロジェクター２００は、競技場の天井Ｃに地面方向に向けて設置されており、競技場の砂場ＳＤ上に画像を投写することが可能になっている。
【００７２】
図５に示すように、記録ラインＲＬ２は、踏切線ＴＯに略平行なラインである。記録ラインＲＬ２の画像データは、走幅跳の世界記録保持者の跳躍記録に基づいて作成された画像データとする。
【００７３】
このように、画像投写システム３は、競技の際に世界記録の記録ラインＲＬ２を砂場ＳＤに投写することができる。
【００７４】
次に、本実施形態に係る画像投写システム３が有する画像供給装置１００Ｃ、およびプロジェクター２００について説明する。
図６は、本実施形態に係る画像供給装置１００Ｃ、およびプロジェクター２００の概略構成を示すブロック図である。図６を使用して、画像投写システム３の内部構成について説明する。
以降、第１の実施形態との差異について説明する。
【００７５】
本実施形態に係る画像投写システム３の画像供給装置１００Ｃは、図２で示した第１の実施形態に係る画像投写システム１の画像供給装置１００が備えている入力受付部１２１の信号入力部１２１ｂを備えないものとする。その他の画像供給装置１００Ｃの構成は、第１の実施形態に係る画像供給装置１００と同様である。また、同様な構成部は同様な符号としている。また、プロジェクター２００の構成は、第１の実施形態と同様とし、各構成部の符号も同様の符号としている。
【００７６】
入力受付部１２１は、操作入力部１２１ａを有して構成されている。操作入力部１２１ａは、画像供給装置１００Ｃに対する各種の入力操作を受け付けるための複数のキー等を備えている。操作入力部１２１ａが備えるキーとしては、電源のオン／オフを行うための「電源キー」や、記録ラインＲＬ２の画像データの出力を開始させるための「画像出力キー」等がある。
【００７７】
ユーザーが操作入力部１２１ａを操作すると、操作入力部１２１ａは、ユーザーの操作内容に応じた操作信号を第１制御部１２０に出力する。なお、操作入力部１２１ａは、リモコン信号受信部（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信部がこれを受信して第１制御部１２０に伝達する。
【００７８】
記録ライン画像記憶部１３０は、不揮発性のメモリーを有して構成され、競技における静的な所定の記録（本実施形態では、走幅跳の世界記録）を表す記録ラインＲＬ２の画像データを記憶している。記録ライン画像記憶部１３０は、記録ラインＲＬ２の画像データを、画像データ出力部１３５に出力する。記録ラインＲＬ２は、特定の色（例えば黄色）の１本の「直線」の画像とする。本実施形態では、投写される「直線」以外の部分は、黒色の無地画像を表す画像とする。
【００７９】
画像データ出力部１３５は、第１制御部１２０の指示に基づいて、記録ライン画像記憶部１３０から記録ラインＲＬ２の画像データを入力する。そして、ケーブルＣＢを介してプロジェクター２００に画像データを出力する。
【００８０】
このような構成により、画像供給装置１００Ｃの第１制御部１２０は、操作入力部１２１ａから画像出力キーの操作信号を入力すると、画像データ出力部１３５に指示を出して、記録ラインＲＬ２の画像データをプロジェクター２００に出力させる。
【００８１】
上述した画像投写システム３では、画像供給装置１００Ｃは、ユーザーによって操作入力部１２１ａに備わる画像出力キーが押下されると、世界記録の記録ラインＲＬ２の画像データをプロジェクター２００に出力開始する。プロジェクター２００は、入力した画像データに基づく世界記録の静的な記録ラインＲＬ２を砂場ＳＤに投写することができる。
【００８２】
上述した第３の実施形態によれば、以下の効果が得られる。
（１）画像投写システム３において、画像供給装置１００Ｃは、走幅跳における世界記録を表す記録ラインＲＬ２の画像データをプロジェクター２００に出力し、プロジェクター２００は、画像データに基づいて記録ラインＲＬ２を砂場ＳＤに投写する。これにより、砂場ＳＤに投写される記録ラインＲＬ２を目視することによって、競技場において競技を観戦している観戦者は、世界記録を認識することができる。即ち、観戦者が、競技者Ｈ５の競技状態と記録ラインＲＬ２とを対比しながら観戦して楽しむことが可能になるため、有益である。さらに、観戦者は、競技が終了して計測結果が出るまで待つことなく、競技者と記録ラインＲＬ２とを対比することによって、世界記録が更新されたか否かを認識することが可能になるため、有益である。
【００８３】
（２）画像投写システム３が砂場ＳＤに投写する世界記録は、記録ラインＲＬ２、即ち「直線」として表される。これにより、観戦者が、競技者Ｈ５の競技状態と記録ラインＲＬ２とを対比しながら観戦することが可能となるため、競技者Ｈ５が世界記録を上回っているか否を容易に視認することが可能となり、有益である。
【００８４】
（３）画像投写システム３が記録ラインＲＬ２を砂場ＳＤに投写することにより、競技者Ｈ５は、世界記録と自身の競技状態を比較することができる。このため、競技者Ｈ５は、記録ラインＲＬ２を視認して目標としながら競技を行うことができるため、有益である。また、競技の練習を行う際にも、このような記録ラインＲＬ２を砂場ＳＤに投写することによって、練習の目標を視認することが可能になるため、有益である。
【００８５】
なお、上述した実施形態に限定されず、種々の変更や改良等を加えて実施することが可能である。変形例を以下に述べる。
【００８６】
（変形例１）上記実施形態では、１００メートル競走、および走幅跳について説明したが、これに限定するものではなく、その他の競技にも適用することができる。例えば、競泳や、砲丸投げ、槍投げ等にも適用することができる。競泳の場合には、世界記録の記録ラインをプールサイドに投写することで、観戦者が視認することができる。
【００８７】
（変形例２）上記実施形態では、画像投写システム１，２，３は、世界記録を記録ラインＲＬ１，ＲＬ２として「直線」で表示するものとしたが、これに限定するものではない。例えば、丸や三角や四角等のその他の図形として表示してもよい。また、例えば、砲丸投げ、槍投げ等の競技においては、「円弧」で表示してもよいし、投擲物の落下地点を前述の丸や三角や四角等の図形で表示してもよい。このような表示は、跳躍競技の着地点の表示にも応用することができる。
【００８８】
（変形例３）上記実施形態では、画像投写システム１，２，３は、所定の記録は、世界記録としたが、これに限定するものではない。例えば、日本記録や大会記録等としてもよい。また、全国の平均記録のように、平均値の記録としてもよい。
【００８９】
（変形例４）上記実施形態では、画像投写システム１，２，３は、特定の競技種目の所定の記録を記憶するものとしたが、複数の競技種目の記録を記憶可能としてもよい。このように複数の記録を記憶する場合には、入力受付部１２１によって、ユーザーに所望の記録を選択させ、第１制御部１２０，１２０Ｂが選択された記録ラインの画像データを選択することが望ましい。
【００９０】
（変形例５）上記実施形態では、画像投写システム１，２，３は、１本の記録ラインＲＬ１（または記録ラインＲＬ２）を投写するものとしたが、複数の記録ラインを投写してもよい。例えば、世界記録と日本記録の両方を投写してもよい。こうすれば、観戦者は、競技者の競技状態と世界記録および日本記録の両方の記録ラインとを対比しながら観戦して楽しむことができる。
【００９１】
（変形例６）上記第２の実施形態では、画像投写システム２は、記録情報記憶部１３１に、競技の途中経過の情報をテーブルＴ２として記憶するものとしたが、時間Ｔと走行距離Ｄとの関係を表す関数として記憶してもよい。
【００９２】
（変形例７）上記第２の実施形態では、画像投写システム２は、記録情報記憶部１３１に、競技の途中経過の情報をテーブルＴ２として記憶するものとしたが、競技の途中経過の情報は記憶しないものとしてもよい。この場合、記録ラインＲＬ１は等速運動で移動するものとして、画像データを生成する。こうすれば、ライン画像生成部１３２の処理を簡易化することができる。
【００９３】
（変形例８）上記第１の実施形態、および第２の実施形態では、信号入力部１２１ｂが有する信号入力端子は、ＲＳ−２３２Ｃ等のシリアル通信規格の信号入力端子としたが、これに限定するものではない。例えば、ＵＳＢやＩＥＥＥ（Institute of Electrical and Electronic Engineers）１３９４等の通信としてもよいし、ＩＰネットワーク通信や、無線通信による通信としてもよい。
【００９４】
（変形例９）上記第２の実施形態では、記録情報入力部１３６が有する情報入力端子は、ＲＳ−２３２Ｃ等のシリアル通信規格の入力端子としたが、これに限定するものではない。例えば、ＵＳＢやＩＥＥＥ１３９４等の通信としてもよいし、ＩＰネットワーク通信や、無線通信による通信としてもよい。
【００９５】
（変形例１０）上記第３の実施形態では、画像供給装置１００Ｃの入力受付部１２１に信号入力部１２１ｂを含まない例を示したが、これに限定するものではない。例えば、競技者Ｈ５の踏切動作を検出するために、助走路ＡＬに設けられた踏切検出手段（図示せず）からの信号を、信号入力部１２１ｂに入力するように構成すれば、記録ラインＲＬ２を動的に投写することが可能となる。
【００９６】
（変形例１１）上記実施形態では、プロジェクター２００は、競技場の天井Ｃに設置されているものとしたが、屋外の競技場等であれば、プロジェクター２００をクレーンや何らかの建造物等によって、吊り下げて設置してもよい。
【００９７】
（変形例１２）上記実施形態のプロジェクター２００では、光変調装置として、透過型の液晶ライトバルブ２１２を用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【符号の説明】
【００９８】
１，２，３…画像投写システム、１００，１００Ｂ，１００Ｃ…画像供給装置、１２０，１２０Ｂ…第１制御部、１２１…入力受付部、１２１ａ…操作入力部、１２１ｂ…信号入力部、１３０…記録ライン画像記憶部、１３１…記録情報記憶部、１３２…ライン画像生成部、１３５…画像データ出力部、１３６…記録情報入力部、２００…プロジェクター、２１０…画像投写部、２１１…光源、２１２…液晶ライトバルブ、２１３…投写レンズ、２１４…ライトバルブ駆動部、２２０…第２制御部、２２１…操作受付部、２２２…光源制御部、２３０…画像データ入力部、２３１…画像処理部、ＣＢ…ケーブル、ＴＳ…計時システム、ＳＰ…スタートピストル、ＳＴ…スターター、ＲＬ１，ＲＬ２…記録ライン、ＳＬ…セパレートレーン、ＣＳ…走路、Ｌ１…スタートライン、Ｌ２…フィニッシュライン、Ｈ１，Ｈ２，Ｈ３，Ｈ４，Ｈ５…競技者、Ｃ…天井、Ｔ１，Ｔ２…テーブル、ＪＬ…助走レーン、ＡＬ…助走路、ＴＯ…踏切線、ＳＤ…砂場。
【図１】
0005499625.tif 000002
【図２】
0005499625.tif 000003
【図３】
0005499625.tif 000004
【図４】
0005499625.tif 000005
【図５】
0005499625.tif 000006
【図６】
0005499625.tif 000007